(57)【特許請求の範囲】
【請求項１】
好気性の接着剤（３）と流動性の物質（８）とから成る固定剤（２）によって、ベース（１１）に対象物を固定する方法であって、
好気性の接着剤（３）を、対応する第１の取出し手段を備えた第１の収容部内に貯蔵しておき、
前記第１の取出し手段は、歯付きスパチュラ（５）により形成され、
前記第１の取出し手段によってベース（１１）上に、高さ方向で歯列構造に相応して成形された好気性の接着剤（３）の層を創成し、
第２の取出し手段によって、好気性の接着剤（３）の前記層上に、流動性の物質（８）により形成された表面層を形成し、
こうして形成された層構造体に対象物を押し付けることにより、好気性の接着剤（３）中での流動性の物質（８）の全容量混入を達成することを特徴とする、
方法。
【請求項２】
前記第１の取出し手段が、前記第１の収容部と共に１つの構成ユニットを形成している、
請求項１記載の方法。
【請求項３】
好気性の接着剤（３）が、ポリマから成る、
請求項１または２記載の方法。
【請求項４】
流動性の物質（８）が、親水性の物質または吸湿性の物質から成る、
請求項１から３までのいずれか１項記載の方法。
【請求項５】
流動性の物質（８）が、液体である、
請求項１から４までのいずれか１項記載の方法。
【請求項６】
流動性の物質（８）が、ポリエチレングリコール、ポリプロピレングリコール、アルコールまたは水との混合物としてのイソプロパノールである、
請求項５記載の方法。
【請求項７】
流動性の物質（８）が、水である、
請求項５記載の方法。
【請求項８】
液体として形成された流動性の物質（８）が、前記第２の取出し手段を形成する噴霧ヘッド（９）内に貯蔵されている、
請求項５から７までのいずれか１項記載の方法。
【請求項９】
前記第２の取出し手段が、前記第２の収容部と共に１つの構成ユニットを形成している、
請求項１から８までのいずれか１項記載の方法。
【請求項１０】
前記第１の取出し手段を備えた前記第１の収容部が、前記第２の収容部および前記第２の取出し手段と共に１つの構成ユニットを形成している、
請求項１から９までのいずれか１項記載の方法。
【発明の詳細な説明】
【技術分野】
【０００１】
本発明は、固定剤およびベースに対象物を固定する方法に関する。
【０００２】
ＰＣＴ−ＥＰ２００９／００１６２３に基づき、好気性（aerob.）の接着剤と親水性の物質とから成る固定剤が公知である。
【０００３】
このような固定剤では、好気性の接着剤に親水性の物質を添加することにより、混合物が生じ、この混合物は、もはや、湿った周辺空気と表面接触させてこの表面から硬化させる必要がない。それどころか、この混合物中に存在する、好気性の接着剤に混入した親水性の物質の働きにより、この混合物中に含まれている好気性の接着剤は、湿分を含んだ周辺空気に対する外部接触がもはや与えられていない場合でも、内部から硬化することができる。
【０００４】
固定剤中の適当な湿分含量を得るためには、好気性の接着剤と親水性の物質とから成る混合物に、調量されて湿分が供給される。この場合、親水性の物質が好気性の接着剤と混合される前に、親水性の物質への湿分の調量された添加が行われる。
【０００５】
調量された湿分供給のためには、成分を混合するために特に木材から成るスパチュラが使用される。スパチュラは予め水または一般に所定量の液体中に浸漬される。スパチュラが吸収することのできる水量または一般に液体量は、調量される湿分量を形成し、この湿分量は好気性の接着剤と親水性の物質とから成る混合物に供給される。このときに、親水性の物質は湿分緩衝剤として作用することができ、この湿分緩衝剤は、過剰湿分または一般に揮発性物質（Fluchtstoff）を吸収し、かつ必要に応じて再び吐き出すことができる。この混合過程により、湿分は混合物の全容量中に到達し、これによりこの混合物は完全に硬化することができる。
【０００６】
本発明の根底を成す課題は、冒頭で述べた固定剤を改良して、簡単に取扱い可能な固定剤を提供することである。
【０００７】
この課題を解決するために、請求項１の特徴および請求項１２の特徴が規定されている。本発明の好ましい実施態様および有利な改良形は、従属形式の請求項に記載されている。
【０００８】
本発明による固定剤は、ベースに対象物を固定するために働く。この固定剤は、好気性の接着剤と流動性の物質とから成る。好気性の接着剤は、対応する第１の取出し手段を備えた第１の収容部内に貯蔵されている。流動性の物質は、前記第１の収容部とは別個の、対応する第２の取出し手段を備えた第２の収容部内に貯蔵されている。第１の取出し手段は、この第１の取出し手段によってベース上に、好気性の接着剤の高さプロファイリング（hoehenprofiliert.）された層、つまり高さ方向で異形成形された層が創成されるように構成されている。第２の取出し手段は、好気性の接着剤の前記高さプロファイリングされた層上に、流動性の物質により形成された表面層が形成されるように構成されている。こうして形成された層構造体に対象物を押し付けることにより、この層構造体においては、好気性の接着剤中での流動性の物質の全容量埋入もしくは全容量混入（Volumeneinlagerungen）が達成される。
【０００９】
本発明による固定剤もしくは本発明による方法の重要な利点は、固定剤を製造するために、好気性の接着剤と流動性の物質との混合作業を完全に不要にすることができることにある。これにより、対象物とベースとの間の結合を形成するための固定剤の取扱いは著しく容易となる。
【００１０】
対象物とベースとの結合のための固定剤を形成するための流動性の物質と好気性の接着剤との混合過程は、ベースへの対象物の押付け時に自動的に行われる。このための前提条件は、好気性の接着剤が、第１の収容部から第１の取出し手段によって、高さプロファイリングされた層の形で塗布されることである。この高さプロファイリングされた層は、複数の谷部により分離された高さ構造体の形成の点で、平坦な層とは異なっている。高さ差の絶対値は広い範囲内で変動することができ、そして均一にまたは不均一に形成されかつ分配されていてよい。
【００１１】
次いで好気性の接着剤の高さプロファイリングされた層に被着された、流動性の物質の表面層は、均質に形成されているか、または不均質に形成されていてよい。この場合、流動性の物質の表面層は、有利には好気性の接着剤の高さプロファイリングされた層の表面全体にわたって延びていてよい。しかし、このことは必ずしも必要であるとは限らない。
【００１２】
次いで、対象物をベース上に固定するために、好気性の接着剤の高さプロファイリングされた層と流動性の物質の表面層とから成る、こうして形成された層構造体に対象物が載着されると、高さプロファイリングされた層の先端部は対象物の押付け圧によってこの層の谷部の方向に折り曲げられ、これにより流動性の物質は好気性の接着剤の容量中に混入もしくは埋入され、すなわち別個の作業過程が必要となることなく、流動性の物質は好気性の接着剤と十分に混合される。
【００１３】
これによって、好気性の接着剤に流動性の物質を混入させることにより、固定剤は、外部環境との接触や外部からの液体供給が必要となることなしに、その全容量が迅速に硬化し得る。特に、本発明による固定剤は、拡散密な２つの面の間に挿入され、これによりこれらの面を結合することができる。
【００１４】
本発明の特に有利な実施態様では、好気性の接着剤が、シランのＭＳポリマにより形成されている
好気性の接着剤は収容部、たとえばチューブまたはカートリッジ内に貯蔵されている。
【００１５】
第１の収容部および対応する第１の取出し手段は、原理的には別個のユニットを形成していてよいが、しかし１つの構成ユニットを形成していると特に有利である。すなわち、第１の取出し手段は直接に第１の収容部に組み付けられていると特に有利である。
【００１６】
特に有利には、第１の取出し手段がこの場合、歯付きスパチュラの形に形成されていてよい。好気性の接着剤は第１の収容部から歯付きスパチュラを介してベースに被着される。歯付きスパチュラの歯列構造に相応して、好気性の接着剤から成る層の高さプロファイリング、つまり高さ方向での、歯列構造に対応した成形部が形成される。
【００１７】
流動性の物質は、有利には親水性の物質と液体含有の担体との混合物から形成されていてよい。親水性の物質の代わりに、吸湿性の物質を使用することもできる。親水性の物質はこの場合、固形物であってもよい。液体含有の担体との混合により、ペースト状の流動性の物質が生じる。液体としては、特に水が適している。こうして得られた、流動性の物質の湿分含量に基づき、ひいては流動性の物質と好気性の接着剤とから成る混合物の湿分含量に基づき、こうして形成された固定剤の硬化が保証される。
【００１８】
親水性の物質はこの場合には、塩により形成されていてよい。さらに、親水性の物質は親水性の担体繊維により形成されていてよい。この親水性の担体繊維は天然繊維または化学繊維により形成されていてよく、木綿から成っていると有利である。原理的に、親水性の物質としては、白亜、穀粉、膨張粘土（Blaehton）、ガラクトース、綿、亜麻、大麻、ビスコース、セルロース、海草、フェルトまたは木繊維、空気孔フィルタ（Luftporenfilter）または一般に通気性の物質が適している。
【００１９】
本発明の特に有利な実施態様では、流動性の物質が液体の形に形成されている。特に有利には、この液体は、たとえばポリエチレングリコールのような親水性の物質から成る。さらに、親水性または場合によっては吸湿性の液体としては、ポリプロピレングリコール、酸素溶液、アルコール、特に水との混合物としてのイソプロパノールが適している。一般に、親水性の液体または一般に親水性の物質は、湿分、酸素、水素、炭素および別の反応物質の交換による好気性の接着剤との反応のために働く。原理的に、この液体は水により形成されていてもよい。
【００２０】
流動性の物質が液体の形に形成されることにより、固定剤の製造時における特に簡単な取扱いが可能となる。
【００２１】
液体は容器、特にチューブまたはカートリッジの形の第２の収容部内に貯蔵される。この容器には、第２の取出し手段として噴霧ヘッドが装着されている。この噴霧ヘッドを操作することにより、好気性の接着剤の高さプロファイリングされた層に、有利には面全体を覆うほぼ均質な液体の層を簡単かつ迅速に塗布することができる。こうして形成された層構造体に対象物を載着させるだけで、液体は好気性の接着剤の容量中に混ざり、こうして固定剤を形成する。この固定剤は、環境に対する閉鎖下でも、容量中に混入された液体成分によって迅速にかつ完全に硬化する。
【００２２】
対応する取出し手段を備えた収容部は、本発明による固定剤を製造するための組立てセットを形成する。この組立てセットのコンポーネントは、全て別個のユニットを形成するか、または部分的に組み立てられて構成ユニットを形成していてもよい。特に、組立てセットの全てのコンポーネントをまとめて１つの構成ユニットを形成することができる。
【００２３】
いずれにしても、組立てセットは一回だけでなく、複数回使用され得る。このことは、好気性の接着剤と、流動性の物質とが、別個の収容部内に貯蔵されるだけでなく、好気性の接着剤および流動性の物質を取り出すための別個の取出し手段が設けられていることにも基づく。これによって、流動性の物質と好気性の接着剤とがベースへの塗布の前に混合される混合管または一般に組立てセットのコンポーネントが回避される。このことは、組立てセットが、好気性の接着剤が流動性の物質と接触してしまい、そしてこの流動性の物質と共に硬化して固定剤を形成してしまうようなコンポーネントを有しないことを意味する。もちろん、このようなコンポーネントはもはや再使用不可能となる。
【００２４】
以下に、本発明を図面につき詳しく説明する。
【図面の簡単な説明】
【００２５】
【図１】本発明による組立てセットの１実施形態を示す概略図である。
【図２】図１に示した組立てセットの歯付きスパチュラを示す部分図である。
【図３】組立てセットを用いて形成された、ベース上に被着された、好気性の接着剤から成る高さプロファイリングされた層の概略図である。
【図４】図３に示した高さプロファイリングされた層と、この層に塗布された流動性の物質から成る表面層とを示す概略図である。
【図５】対象物の載着時における、図４に示した層構造体の変形を示す概略図である。
【図６】図４に示した層構造体から形成された固定剤を用いてベース上に固定された対象物を示す概略図である。
【００２６】
図１には、好気性の接着剤３と流動性の物質とから成る混合物から成る固定剤２を製造するための組立てセット１の１実施形態が示されている。この場合、図３、図４、図５および図６には、好気性の接着剤３と流動性の物質とから固定剤２を形成するための個々のステップが示されている。
【００２７】
組立てセット１は、チューブ４の形の第１の収容部を有する。このチューブ４内には、好気性の接着剤３が単独成分として貯蔵されている。好気性の接着剤３はこの場合、シランのＭＳポリマ（変成シリコーンポリマ）から成っている。チューブ４はヘッド部分を有し、このヘッド部分には、好気性の接着剤３のための取出し手段として、歯付きスパチュラ５が取り付けられている。歯付きスパチュラ５は図２に詳細に図示されている。この詳細図から判るように、歯付きスパチュラ５の前縁は歯列５ａを有している。歯付きスパチュラ５の範囲には、取出し開口６が設けられており、この取出し開口６からは、好気性の接着剤３がチューブ４から送出されて、歯付きスパチュラ５に被着される。択一的に、歯付きスパチュラ５の代わりに、成形スパチュラ（Profilierspachtel）またはこれに類するものを使用することもできる。
【００２８】
チューブ４のヘッドの範囲では、このチューブ４に固く結合された形で、第２の収容部として容器７が設けられている。この容器７内には、流動性の物質が貯蔵されており、この流動性の物質は本実施形態では、親水性の液体８により形成されている。親水性の液体８としては、イソプロピルアルコール−水混合物が使用されると有利である。容器７の上側には、噴霧ヘッド９が設けられている。噴霧ヘッド９は流出開口９ａを備えており、この流出開口９ａを介して、親水性の液体８を容器７から導出することができる。噴霧ヘッド９はこの場合、ノブの形に形成されている。このノブをプッシュすることにより、噴霧ノズル９が操作され、その結果、親水性の液体８が流出開口９ａから噴出される。
【００２９】
図１に示した組立てセット１は、人間の片手で操作され、ひいては簡単な取扱いを可能にする１つの構成ユニットを形成する。さらに、親水性の液体８は表面のクリーニングのために使用され得る。好気性の接着剤３と親水性の液体８とを用いて、固定剤２が形成される。この固定剤２は、対象物、つまりこの場合には接合部分１０をベース１１に固定するために働く。このために必要となる方法ステップは、図３〜図６に示されている。
【００３０】
まず、歯付きスパチュラ５を用いて、好気性の接着剤３がベース１１上に塗布される（図３）。原理的には、ベース１１を予め、親水性の液体によって清浄化することができる。歯付きスパチュラ５が歯列５ａを有するので、この歯列５ａによってベース１１上には、好気性の接着剤３の高さプロファイリングされた層、つまり高さ方向で歯形の輪郭に倣って成形された層が形成される。この場合、この層は、連続する先端部と谷部とを備えたギザ歯構造を形成する。歯付きスパチュラ５の歯列５ａの構成に応じて、好気性の接着剤３の層は、別の輪郭の高さプロファイリング部を有することもできる。
【００３１】
第２のステップにおいて、好気性の接着剤３の高さプロファイリングされた層に、親水性の液体８の表面層が塗布される（図４参照）。表面層の塗布は、組立てセット１の容器７からの親水性の液体８の噴霧塗布により行われる。このためには、噴霧ヘッド９が、ノブのプッシュによって操作され、そして流出開口９ａを介して親水性の液体８が噴出される。有利には、親水性の液体８は好気性の接着剤３の高さプロファイリングされた層の表面全体に塗布され、この場合、この親水性の液体８はほぼ均質に分配される。
【００３２】
親水性の液体８は、別個の作業ステップにおいて好気性の接着剤３と積極的に混合する必要はない。それどころか、ただちに接合部分１０を、好気性の接着剤３の高さプロファイリングされた層と、この層上に配置された親水性の液体８の表面層とから成る層構造体に直接に載着させることができる。図５には、接合部分１０がちょうど層構造体と接触した際の状況が示されている。接合部分１０により加えられた圧力によって、高さプロファイリングされた層の先端部が谷部の方向に押し込まれる。これにより、メアンダ状の構造体が生じ、この場合、親水性の液体８から成る表面層は、好気性の接着剤３から成る層の表面上で複数回折り返される。これにより、別の補助手段なしに、接合部分１０を載着させるだけで、好気性の接着剤３内での親水性の液体８の全容量規模の混入が生じる。すなわち、親水性の液体８は好気性の接着剤３の全容量中に分配されて埋入され、こうして好気性の接着剤３と十分に混合される。
【００３３】
図６には、接合部分１０がベース１１に完全に押し付けられた後の状況が示されている。押圧過程により、接合部分１０とベース１１との間には、好気性の接着剤３と、この好気性の接着剤３の全容量中に混入された親水性の液体８とを有する層が形成されている。これにより、この層はその全容量で迅速に反応しかつ硬化して固定剤２を形成することができ、これにより接合部分１０はベース１１に固く結合される。
【符号の説明】
【００３４】
１  組立てセット
２  固定剤
３  好気性の接着剤
４  チューブ
５  歯付きスパチュラ
５ａ  歯列
６  取出し開口
７  容器
８  親水性の液体
９  噴霧ヘッド
９ａ  流出開口
１０  接合部分
１１  ベース
【図１】
0006033238.tif 000002
【図２】
0006033238.tif 000003
【図３】
0006033238.tif 000004
【図４】
0006033238.tif 000005
【図５】
0006033238.tif 000006
【図６】
0006033238.tif 000007